(57)【要約】【課題】ＤＣバランスをとりつつ、温度変化の影響も補償できる電気泳動表示装置の駆動方法等の提供。【解決手段】共通電極に駆動パルス信号に基づく電圧を、画素電極に駆動パルス信号の反転信号または正転信号に基づく電圧を印加して、表示部の画像を更新する部分駆動方式によって、第１の画像を第１色で表示させる第１画像表示工程Ｓ２と、第１の画像の背景を第１色で表示させる第１画像消去工程Ｓ４と、第２の画像の背景を第２色で表示させる第２画像表示工程Ｓ２２と、第２の画像を第２色で表示させる第２画像消去工程Ｓ２４と、を含み、第２画像表示工程の以後かつ第２画像消去工程の以前に、温度検出部が所定の温度変化を検出した場合に、変化後の温度に調整された駆動パルス信号を用いて、所定の画像を表示させる第１残像消去工程Ｓ１２と、所定の画像を相補的に表示させる第２残像消去工程Ｓ１４と、が実行される。【選択図】図１５
2014056039.tif 000002
【特許請求の範囲】
【請求項１】
一対の基板間に電気泳動粒子を含む電気泳動素子を狭持し、少なくとも第１色と第２色を表示可能な画素を有する表示部と、前記表示部の温度を測定する温度検出部とを含み、一方の前記基板と前記電気泳動素子との間に前記画素に対応する画素電極が形成され、他方の前記基板と前記電気泳動素子との間に、複数の前記画素電極と対向する共通電極が形成された電気泳動表示装置の駆動方法であって、
前記共通電極に第１の電位と第２の電位とを繰り返す駆動パルス信号に基づく電圧を印加し、複数の前記画素電極のそれぞれに前記駆動パルス信号の反転信号、または正転信号に基づく電圧を印加し、前記画素電極と前記共通電極との間に生じた電界によって前記電気泳動粒子を移動させることで前記表示部に表示される画像を書き換える部分駆動方式によって、前記表示部に第１の画像を第１色で表示させる第１画像表示工程と、
前記第１画像表示工程の後に、前記部分駆動方式によって、前記表示部に前記第１の画像の背景を前記第１色で表示させる第１画像消去工程と、
前記部分駆動方式によって、前記表示部に第２の画像の背景を前記第２色で表示させる第２画像表示工程と、
前記第２画像表示工程の後に、前記部分駆動方式によって、前記表示部に前記第２の画像を前記第２色で表示させる第２画像消去工程と、を含み、
前記第２画像表示工程の以後かつ前記第２画像消去工程の以前に、前記温度検出部が所定の温度変化を検出した場合に、
変化後の温度に基づいて調整された前記駆動パルス信号を用いて、前記表示部に所定の画像を表示させる第１残像消去工程と、
変化後の温度に基づいて調整された前記駆動パルス信号を用いて、前記表示部に前記所定の画像を相補的に表示させる第２残像消去工程と、が前記第２画像消去工程の後に実行され、
前記第２残像消去工程の後に、次の前記第１画像表示工程が実行される、電気泳動表示装置の駆動方法。
【請求項２】
一対の基板間に電気泳動粒子を含む電気泳動素子を狭持し、少なくとも第１色と第２色を表示可能な画素を有する表示部と、前記表示部の温度を測定する温度検出部とを含み、一方の前記基板と前記電気泳動素子との間に前記画素に対応する画素電極が形成され、他方の前記基板と前記電気泳動素子との間に、複数の前記画素電極と対向する共通電極が形成された電気泳動表示装置の駆動方法であって、
前記共通電極に第１の電位と第２の電位とを繰り返す駆動パルス信号に基づく電圧を印加し、複数の前記画素電極のそれぞれに前記駆動パルス信号の反転信号、または正転信号に基づく電圧を印加し、前記画素電極と前記共通電極との間に生じた電界によって前記電気泳動粒子を移動させることで前記表示部に表示される画像を書き換える部分駆動方式によって、前記表示部に第１の画像を第１色で表示させる第１画像表示工程と、
前記第１画像表示工程の後に、前記部分駆動方式によって、前記表示部に前記第１の画像の背景を前記第１色で表示させる第１画像消去工程と、を含み、
前記第１画像表示工程の以後かつ前記第１画像消去工程の以前に、前記温度検出部が所定の温度変化を検出した場合に、
変化前の温度に基づいて調整された前記駆動パルス信号を用いて、前記表示部の全画素を前記第２色で表示させる第１単一色表示工程と、
変化後の温度に基づいて調整された前記駆動パルス信号を用いて、前記表示部に所定の画像を表示させる第１残像消去工程と、
変化後の温度に基づいて調整された前記駆動パルス信号を用いて、前記表示部に前記所定の画像を相補的に表示させる第２残像消去工程と、が前記第１画像消去工程の後に実行され、
前記第２残像消去工程の後に、次の前記第１画像表示工程が実行される、電気泳動表示
装置の駆動方法。
【請求項３】
請求項１に記載の電気泳動表示装置の駆動方法において、
前記第１画像表示工程の以後かつ前記第１画像消去工程の以前に、前記温度検出部が所定の温度変化を検出した場合に、
変化前の温度に基づいて調整された前記駆動パルス信号を用いて、前記表示部の全画素を前記第２色で表示させる第１単一色表示工程と、
前記第１残像消去工程と、前記第２残像消去工程と、が前記第１画像消去工程の後に実行される、電気泳動表示装置の駆動方法。
【請求項４】
請求項１乃至３のいずれか１項に記載の電気泳動表示装置の駆動方法において、
前記第１残像消去工程および前記第２残像消去工程は、
前記所定の表示として単一色表示を用いる、電気泳動表示装置の駆動方法。
【請求項５】
請求項１乃至３のいずれか１項に記載の電気泳動表示装置の駆動方法において、
前記第１残像消去工程および前記第２残像消去工程は、
前記所定の表示として、単一色表示以外の表示を用いており、
前記第２残像消去工程の後に、変化後の温度に基づいて調整された前記駆動パルス信号を用いて、前記表示部の全画素を前記第２色で表示させる第２単一色表示工程が実行される、電気泳動表示装置の駆動方法。
【請求項６】
請求項５に記載の電気泳動表示装置の駆動方法において、
前記第１残像消去工程および前記第２残像消去工程は、
前記所定の表示として市松模様を用いる、電気泳動表示装置の駆動方法。
【請求項７】
請求項１乃至６のいずれか１項に記載の電気泳動表示装置の駆動方法を実行する制御部を備える電気泳動表示装置。
【請求項８】
請求項７に記載の電気泳動表示装置を含む電子機器。
【請求項９】
請求項７に記載の電気泳動表示装置を含む電子時計。
【発明の詳細な説明】
【技術分野】
【０００１】
本発明は、電気泳動表示装置の駆動方法、電気泳動表示装置、電子機器および電子時計等に関する。
【背景技術】
【０００２】
近年、電源を切っても画像を保持できるメモリー性を有する表示パネルが開発され、電子時計等の電子機器にも使用されている。メモリー性を有する表示パネルとしては、ＥＰＤ（Electrophoretic Display）すなわち電気泳動表示装置や、メモリー性液晶表示装置等が知られている。
【０００３】
電気泳動表示装置は、視野角の広さ、コントラスト比の高さ、柔軟性、低消費電力などの優れた利点がある。電気泳動表示装置は、例えば白色や黒色の帯電した電気泳動粒子を、印加した電界によって移動させることで画像を表示する。帯電粒子は分散液中を移動するが、例えば分散液の粘性には温度依存性がある。そのため、同じ電界を印加しても温度が変化することで表示画像の見え方が異なることがある。
【０００４】
そこで、例えば特許文献１の発明は、リセットパルスおよび駆動パルスの持続時間を温度に基づいて変化させる。このことにより温度変化の影響を補償して、画像品質の改善を図っている。
【先行技術文献】
【特許文献】
【０００５】
【特許文献１】特表２００７−５０５３５１号公報
【特許文献２】特表２００５−５３０２０１号公報
【発明の概要】
【発明が解決しようとする課題】
【０００６】
一方で、特許文献２に記載されているように、電気泳動表示装置において電極間に印加される電界の時間平均がほぼゼロでなければ、装置の動作寿命が短くなる恐れがある。つまり、電気泳動表示装置の長期信頼性を確保するためには、ＤＣバランスがとられること、すなわち印加される電界の時間平均がほぼゼロになることが必要になる。
【０００７】
しかし、特許文献１の発明において、駆動パルスの持続時間、リセットパルスの持続時間は、それぞれ独立したスケーリング関数に基づいて定められる。よって、電極間に印加される電界の方向や大きさに偏りが生じるため、特許文献１の発明では電気泳動表示装置の長期信頼性を確保することが困難である。
【０００８】
ここで、特許文献１の発明で、仮にリセットパルスと駆動パルスの持続時間を同じにしたとしても、画像の更新時間が増大するという別の問題が生じる。電気泳動表示装置は、表示部の全体を描画する全面駆動方式、または書き換え対象である一部を描画することも可能な部分駆動方式により画像を表示することができる。特許文献１の発明は全面駆動方式を前提としており、リセットパルスと駆動パルスの持続時間を揃える、すなわち長い方の持続時間に合わせると、画像の更新時間が著しく遅くなり現実的ではない。
【０００９】
本発明はこのような問題点に鑑みてなされたものである。本発明のいくつかの態様によれば、画像の更新時間を短くできる部分駆動方式も用いて、ＤＣバランスをとりつつ、温
度変化の影響も補償できる電気泳動表示装置の駆動方法等を提供する。
【課題を解決するための手段】
【００１０】
（１）本発明は、一対の基板間に電気泳動粒子を含む電気泳動素子を狭持し、少なくとも第１色と第２色を表示可能な画素を有する表示部と、前記表示部の温度を測定する温度検出部とを含み、一方の前記基板と前記電気泳動素子との間に前記画素に対応する画素電極が形成され、他方の前記基板と前記電気泳動素子との間に、複数の前記画素電極と対向する共通電極が形成された電気泳動表示装置の駆動方法であって、
前記共通電極に第１の電位と第２の電位とを繰り返す駆動パルス信号に基づく電圧を印加し、複数の前記画素電極のそれぞれに前記駆動パルス信号の反転信号、または正転信号に基づく電圧を印加し、前記画素電極と前記共通電極との間に生じた電界によって前記電気泳動粒子を移動させることで前記表示部に表示される画像を書き換える部分駆動方式によって、前記表示部に第１の画像を第１色で表示させる第１画像表示工程と、
前記第１画像表示工程の後に、前記部分駆動方式によって、前記表示部に前記第１の画像の背景を前記第１色で表示させる第１画像消去工程と、
前記部分駆動方式によって、前記表示部に第２の画像の背景を前記第２色で表示させる第２画像表示工程と、
前記第２画像表示工程の後に、前記部分駆動方式によって、前記表示部に前記第２の画像を前記第２色で表示させる第２画像消去工程と、を含み、
前記第２画像表示工程の以後かつ前記第２画像消去工程の以前に、前記温度検出部が所定の温度変化を検出した場合に、
変化後の温度に基づいて調整された前記駆動パルス信号を用いて、前記表示部に所定の画像を表示させる第１残像消去工程と、
変化後の温度に基づいて調整された前記駆動パルス信号を用いて、前記表示部に前記所定の画像を相補的に表示させる第２残像消去工程と、が前記第２画像消去工程の後に実行され、
前記第２残像消去工程の後に、次の前記第１画像表示工程が実行される。
【００１１】
本発明によれば、部分駆動方式によって、少なくとも４つの工程が実行される。４つの工程は、第１の画像を第１色で表示させる第１画像表示工程、第１の画像の背景を第１色で表示させる第１画像消去工程、第２の画像の背景を第２色で表示させる第２画像表示工程、第２の画像を第２色で表示させる第２画像消去工程、である。
【００１２】
そして、本発明の駆動方法を行う電気泳動表示装置は、表示部の温度変化を検出する温度検出部を含んでいる。温度検出部は、例えば表示部の温度を検出する温度センサーを含む。温度センサーは、表示部との接触により直接に温度を測ってもよいし、表示部の近傍に配置されて例えば計算によって温度を求めてもよい。温度検出部は、温度センサーから受け取った表示部の温度に基づいて、所定の温度変化（例えば３度以上の変化）の有無を検出する。
【００１３】
本発明によれば、第２画像表示工程の以後かつ第２画像消去工程の以前に温度検出部が所定の温度変化を検出した場合に、第１残像消去工程および第２残像消去工程が実行される。つまり、変化前の温度に基づいて調整された駆動パルス信号を用いた前記の４つの工程の後で、変化後の温度に基づいて調整された駆動パルス信号を用いた２つの工程が追加される。この追加された２つの工程により、表示部の温度変化によって生じ得る残像を除去して、温度変化の影響を補償することができる。このとき、温度検出部が所定の温度変化を検出した場合に、直ちに追加の２つの工程を実行する必要はない。例えば、後述する時刻表示の例（図１１参照）では、時刻を更新するタイミングで第１残像消去工程および第２残像消去工程が実行される。
【００１４】
部分駆動方式は、共通電極に第１の電位と第２の電位とを繰り返す駆動パルス信号に基づく電圧を印加し、複数の画素電極のそれぞれに駆動パルス信号の反転信号、または正転信号に基づく電圧を印加し、画素電極と共通電極との間に生じた電界によって電気泳動粒子を移動させることで表示部に表示される画像を書き換える。部分駆動方式では、表示部の全体だけでなく、書き換え対象である一部を描画することが可能である。
【００１５】
本発明によれば、第１画像表示工程、第１画像消去工程、第２画像表示工程、第２画像消去工程は、部分駆動方式によって表示部の一部を描画するので、常に表示部の全体を描画する全面駆動方式と比べて、画像の更新時間を短くできる。なお、追加して実行される第１残像消去工程、第２残像消去工程は、画像の更新時間を短縮するために部分駆動方式を用いることが好ましいが、全面駆動方式を用いることも可能である。
【００１６】
本発明の電気泳動表示装置の駆動方法では、所定の温度変化が検出されなかった場合には、第１画像表示工程と第１画像消去工程とで合わせて表示部全体を第１色に表示する。そして、第２画像表示工程と第２画像消去工程とで合わせて表示部全体を第２色に表示する。そのため、４つの工程でＤＣバランスをとることができる。
【００１７】
そして、所定の温度変化が検出された場合には、所定の画像を表示させる第１残像消去工程と、所定の画像を相補的に表示させる第２残像消去工程とでＤＣバランスをとることが可能である。例えば、所定の画像が表示部全体を第１色とする単一色表示であるとする。このとき、第１残像消去工程で表示部全体を第１色とし、第２残像消去工程で相補的に表示させる。相補的な表示とは、原則として第１残像消去工程で第１色表示されなかった部分について第２色表示することを意味するが、第１色の単一色表示を用いた場合には例外的に表示部全体を第２色で表示することができる。つまり、第２残像消去工程で表示部全体を反転表示することになるので、これらの２つの工程でＤＣバランスをとることができる。
【００１８】
また、第１残像消去工程と第２残像消去工程とが全面駆動方式を用いるならば、所定の画像の種類によらず、第２残像消去工程において所定の画像の反転表示を行うことになるため、これらの２つの工程でＤＣバランスをとることができる。
【００１９】
よって、本発明の電気泳動表示装置の駆動方法は、ＤＣバランスをとりつつ、温度変化の影響も補償できる。そのため、長期信頼性を確保でき、表示品質が向上する。また、部分駆動方式も用いているので、全面駆動方式だけの場合に比べて画像の更新時間を短くできる。
【００２０】
なお、第１色とは例えば黒色であり、第２色とは例えば白色である。第１の画像、第２の画像は表示部の一部に表示される画像であって、文字、数字、文章、図形、記号、模様等のいずれかまたはこれらの組み合わせであってもよい。また、第１の画像、第２の画像は、第１画像表示工程、第２画像表示工程で表示される度に異なる文字、数字、文章、図形、記号、模様等に変化してもよい。第１の画像の背景、第２の画像の背景は、表示部におけるそれぞれ第１の画像以外の部分、第２の画像以外の部分をいう。
【００２１】
（２）本発明は、一対の基板間に電気泳動粒子を含む電気泳動素子を狭持し、少なくとも第１色と第２色を表示可能な画素を有する表示部と、前記表示部の温度を測定する温度検出部とを含み、一方の前記基板と前記電気泳動素子との間に前記画素に対応する画素電極が形成され、他方の前記基板と前記電気泳動素子との間に、複数の前記画素電極と対向する共通電極が形成された電気泳動表示装置の駆動方法であって、
前記共通電極に第１の電位と第２の電位とを繰り返す駆動パルス信号に基づく電圧を印加し、複数の前記画素電極のそれぞれに前記駆動パルス信号の反転信号、または正転信号
に基づく電圧を印加し、前記画素電極と前記共通電極との間に生じた電界によって前記電気泳動粒子を移動させることで前記表示部に表示される画像を書き換える部分駆動方式によって、前記表示部に第１の画像を第１色で表示させる第１画像表示工程と、
前記第１画像表示工程の後に、前記部分駆動方式によって、前記表示部に前記第１の画像の背景を前記第１色で表示させる第１画像消去工程と、を含み、
前記第１画像表示工程の以後かつ前記第１画像消去工程の以前に、前記温度検出部が所定の温度変化を検出した場合に、
変化前の温度に基づいて調整された前記駆動パルス信号を用いて、前記表示部の全画素を前記第２色で表示させる第１単一色表示工程と、
変化後の温度に基づいて調整された前記駆動パルス信号を用いて、前記表示部に所定の画像を表示させる第１残像消去工程と、
変化後の温度に基づいて調整された前記駆動パルス信号を用いて、前記表示部に前記所定の画像を相補的に表示させる第２残像消去工程と、が前記第１画像消去工程の後に実行され、
前記第２残像消去工程の後に、次の前記第１画像表示工程が実行される。
【００２２】
本発明によれば、部分駆動方式によって、第１の画像を第１色で表示させる第１画像表示工程、第１の画像の背景を第１色で表示させる第１画像消去工程、が実行される。そして、本発明の駆動方法を行う電気泳動表示装置は、表示部の温度変化を検出する温度検出部を含んでおり、所定の温度変化の有無を検出する。
【００２３】
本発明によれば、第１画像表示工程の以後かつ第１画像消去工程の以前に温度検出部が所定の温度変化を検出した場合に、第１単一色表示工程、第１残像消去工程および第２残像消去工程が実行される。つまり、変化前の温度に基づいて調整された駆動パルス信号を用いた前記の２つの工程（第１画像表示工程、第１画像消去工程）の後で、変化前の温度に基づいて調整された駆動パルス信号を用いる第１単一色表示工程と、変化後の温度に基づいて調整された駆動パルス信号を用いた２つの工程（第１残像消去工程および第２残像消去工程）が追加される。この追加された３つの工程により、ＤＣバランスをとりつつ、表示部の温度変化によって生じ得る残像を除去して、温度変化の影響を補償することができる。このとき、温度検出部が所定の温度変化を検出した場合に、直ちに追加の３つの工程を実行する必要はない。例えば、後述する時刻表示の例（図１３参照）では、時刻を更新するタイミングで第１単一色表示工程、第１残像消去工程および第２残像消去工程が実行される。
【００２４】
そして、本発明によれば、第１画像表示工程、第１画像消去工程は、部分駆動方式によって表示部の一部を描画するので、常に表示部の全体を描画する全面駆動方式と比べて、画像の更新時間を短くできる。ここで、第１単一色表示工程は、ＤＣバランスをとるために部分駆動方式によって表示部全体を第２色にする必要がある。なお、第１残像消去工程、第２残像消去工程は、画像の更新時間を短縮するために部分駆動方式を用いることが好ましいが、全面駆動方式を用いることも可能である。
【００２５】
本発明の電気泳動表示装置の駆動方法では、第１画像表示工程と第１画像消去工程とで合わせて表示部全体を第１色に表示する。そして、所定の温度変化が検出された場合に、追加された第１単一色表示工程が表示部全体を第２色に表示するので、これらの３つの工程でＤＣバランスをとることができる。そして、前記のように、第１残像消去工程と第２残像消去工程とでＤＣバランスをとることができる。
【００２６】
なお、所定の温度変化が検出されなかった場合には、第１単一色表示工程に代わって表示部全体を第２色に表示する工程が実行されればよい。例えば、前記の第２画像表示工程と第２画像消去工程とで表示部全体を第２色に表示することができる。
【００２７】
よって、本発明の電気泳動表示装置の駆動方法は、ＤＣバランスをとりつつ、温度変化の影響も補償できる。そのため、長期信頼性を確保でき、表示品質が向上する。また、部分駆動方式も用いているので、全面駆動方式だけの場合に比べて画像の更新時間を短くできる。
【００２８】
（３）この電気泳動表示装置の駆動方法において、前記第１画像表示工程の以後かつ前記第１画像消去工程の以前に、前記温度検出部が所定の温度変化を検出した場合に、
変化前の温度に基づいて調整された前記駆動パルス信号を用いて、前記表示部の全画素を前記第２色で表示させる第１単一色表示工程と、
前記第１残像消去工程と、前記第２残像消去工程と、が前記第１画像消去工程の後に実行されてもよい。
【００２９】
本発明によれば、第１画像表示工程の以後かつ第１画像消去工程の以前に温度検出部が所定の温度変化を検出した場合に、第１単一色表示工程、第１残像消去工程および第２残像消去工程が実行される。つまり、変化前の温度に基づいて調整された駆動パルス信号を用いた前記の２つの工程の後で、変化前の温度に基づいて調整された駆動パルス信号を用いる第１単一色表示工程と、変化後の温度に基づいて調整された駆動パルス信号を用いた２つの工程が追加される。この追加された３つの工程により、ＤＣバランスをとりつつ、表示部の温度変化によって生じ得る残像を除去して、温度変化の影響を補償することができる。
【００３０】
よって、本発明の電気泳動表示装置の駆動方法は、第２画像表示工程の以後かつ第２画像消去工程の以前に温度検出部が所定の温度変化を検出した場合に加えて、第１画像表示工程の以後かつ第１画像消去工程の以前に温度検出部が所定の温度変化を検出した場合にも、ＤＣバランスをとりつつ、温度変化の影響も補償できる。
【００３１】
（４）この電気泳動表示装置の駆動方法において、前記第１残像消去工程および前記第２残像消去工程は、
前記所定の表示として単一色表示を用いてもよい。
【００３２】
本発明によれば、第１残像消去工程および第２残像消去工程の所定の表示として単一色表示を用いる。単一色表示とは例えば表示部全体を第１色にする表示である。このとき、第２残像消去工程によって表示部全体が第２色になるため、続けて第１画像表示工程を実行できる。すなわち、本発明の電気泳動表示装置の駆動方法は、後述する第２単一色表示工程を必要とせずに、少ない工程数でＤＣバランスをとりつつ、温度変化の影響を補償することができる。
【００３３】
（５）この電気泳動表示装置の駆動方法において、前記第１残像消去工程および前記第２残像消去工程は、
前記所定の表示として、単一色表示以外の表示を用いており、
前記第２残像消去工程の後に、変化後の温度に基づいて調整された前記駆動パルス信号を用いて、前記表示部の全画素を前記第２色で表示させる第２単一色表示工程が実行されてもよい。
【００３４】
（６）この電気泳動表示装置の駆動方法において、前記第１残像消去工程および前記第２残像消去工程は、
前記所定の表示として市松模様を用いてもよい。
【００３５】
これらの発明によれば、第１残像消去工程および第２残像消去工程の所定の表示として
例えば市松模様といった、単一色表示以外の表示を用いることができる。そのため、表示部の温度変化によって生じ得る残像を除去する効果の高い任意の画像を用いることが可能である。
【００３６】
このとき、表示画像の更新時間を早めるために、第１残像消去工程および第２残像消去工程で部分駆動方式が用いられる場合がある。その場合、第２残像消去工程の後に、変化後の温度に基づいて調整された駆動パルス信号を用いて、表示部全体を第２色で表示する第２単一色表示工程を追加すれば、ＤＣバランスをとることができる。
【００３７】
これらの発明の電気泳動表示装置の駆動方法は、例えば市松模様といった、単一色表示以外の表示を用いて温度変化によって生じ得る残像を除去できるので、さらに表示品質を向上させることが可能になる。
【００３８】
（７）本発明は、前記電気泳動表示装置の駆動方法を実行する制御部を備える電気泳動表示装置であってもよい。
【００３９】
本発明によれば、電気泳動表示装置が含む制御部によって前記の駆動方法が実現される。そのため、本発明の電気泳動表示装置は、ＤＣバランスをとりつつ、温度変化が発生した場合に生じ得る残像を消去することができる。そのため、長期的信頼性に優れており、残像を視認させないことで見栄えがよくなり表示品質が向上する。
【００４０】
（８）本発明は、前記電気泳動表示装置を含む電子機器であってもよい。
【００４１】
（９）本発明は、前記電気泳動表示装置を含む電子時計であってもよい。
【００４２】
これらの発明の電子機器、電子時計は、前記の電気泳動表示装置を用いることで、ＤＣバランスをとりつつ、温度変化が発生した場合に生じ得る残像を消去することができる。そのため、長期的信頼性に優れ、表示品質のよい電子機器、電子時計を実現できる。
【図面の簡単な説明】
【００４３】
【図１】第１実施形態における電気泳動表示装置のブロック図。
【図２】第１実施形態における電気泳動表示装置の画素の構成例を示す図。
【図３】図３（Ａ）は電気泳動素子の構成例を示す図。図３（Ｂ）、図３（Ｃ）は電気泳動素子の動作の説明図。
【図４】図４（Ａ）〜図４（Ｂ）は部分駆動方式の波形図と反射率を例示する図。
【図５】図５（Ａ）〜図５（Ｄ）は局所的なコントラスト比の低下を説明する図。
【図６】図６（Ａ）〜図６（Ｂ）は全面駆動方式の波形図、反射率の例。
【図７】図７（Ａ）〜図７（Ｅ）は全面駆動方式での残像発生を説明する図。
【図８】図８（Ａ）〜図８（Ｈ）は第１実施形態の温度変化がない場合の表示例を示す図。
【図９】温度と駆動パルス信号との対応を表すテーブルを例示する図。
【図１０】図８（Ａ）〜図８（Ｅ）の工程に対応して電極に印加される電圧の変化を例示する図。
【図１１】図１１（Ａ）〜図１１（Ｈ）は第１実施形態の温度変化がある場合の表示例を示す図。
【図１２】図１１（Ａ）〜図１１（Ｆ）の工程に対応して電極に印加される電圧の変化を例示する図。
【図１３】図１３（Ａ）〜図１３（Ｇ）は第１実施形態の温度変化がある場合の別の表示例を示す図。
【図１４】図１３（Ａ）〜図１３（Ｅ）の工程に対応して電極に印加される電圧の変化を例示する図。
【図１５】第１実施形態のフローチャート。
【図１６】図１６（Ａ）〜図１６（Ｂ）は第２実施形態の第１残像消去工程および第２残像消去工程で用いる画像の例。
【図１７】図１７（Ａ）〜図１７（Ｂ）は第２実施形態の第１残像消去工程および第２残像消去工程で用いる画像の別の例。
【図１８】図１８（Ａ）〜図１８（Ｈ）は第２実施形態の温度変化がある場合の表示例を示す図。
【図１９】図１８（Ａ）〜図１８（Ｆ）の工程に対応して電極に印加される電圧の変化を例示する図。
【図２０】第２実施形態のフローチャート。
【図２１】適用例の電子機器のブロック図。
【図２２】図２２（Ａ）は電子機器の一例である電子時計の図、図２２（Ｂ）は電子機器の一例である電子ペーパーの図。
【発明を実施するための形態】
【００４４】
１．第１実施形態
本発明の第１実施形態について図１〜図１５を参照して説明する。第１実施形態の電気泳動表示装置は、文字、数字、写真、模様、イラスト等の様々な画像を表示可能であるとする。
【００４５】
１．１．電気泳動表示装置の構成
図１は、本実施形態のアクティブマトリックス方式の電気泳動表示装置の構成を示す図である。
【００４６】
電気泳動表示装置１０は、表示制御回路６０、温度センサー６５、表示部３を含む。表示制御回路６０は、表示部３を制御する制御部であり、走査線駆動回路６１、データ線駆動回路６２、コントローラー６３、共通電源変調回路６４、記憶部１６０を含む。
【００４７】
走査線駆動回路６１、データ線駆動回路６２、共通電源変調回路６４、記憶部１６０は、それぞれコントローラー６３と接続されている。コントローラー６３は、例えば時刻信号等の入力信号（図外）に基づいて、これらを総合的に制御する。
【００４８】
記憶部１６０は、例えばＶＲＡＭと、例えばフラッシュメモリー等の不揮発性メモリーを含んでいてもよい（図外）。ＶＲＡＭは表示部３に表示させる画像のデータを記憶する。ＶＲＡＭは複数のバンクに分かれており、それぞれが個別のＶＲＡＭとして機能してもよい。また、不揮発性メモリーはＶＲＡＭに記憶されたデータを構成する要素のデータ（例えばパーツデータや背景データ）を記憶する。また、記憶部１６０は、その他に例えばＳＲＡＭ、ＤＲＡＭ等を含んでおり、コントローラー６３がデータの一時記憶領域として用いる。
【００４９】
温度センサー６５は、表示部３の温度を測定して、温度データをコントローラー６３に出力する。そして、コントローラー６３は、受け取った温度データと、記憶部１６０に記憶した過去の温度データとを比較して、所定の温度変化（例えば３度以上の変化）があったか否かの検出を行う。温度センサー６５、コントローラー６３および記憶部１６０は、本発明の温度検出部を構成する。そして、コントローラー６３は、所定の温度変化があった場合に、共通電源変調回路６４を制御して駆動パルス信号を調整する。
【００５０】
表示部３には、走査線駆動回路６１から延びる複数の走査線６６と、データ線駆動回路６２から延びる複数のデータ線６８とが形成されており、これらの交差位置に対応して複
数の画素４０が設けられている。
【００５１】
走査線駆動回路６１は、ｍ本の走査線６６（Ｙ１、Ｙ２、…、Ｙｍ）により各画素４０に接続されている。走査線駆動回路６１は、コントローラー６３の制御に従って１行目からｍ行目までの走査線６６を順次選択することで、画素４０に設けられた駆動用ＴＦＴ４８（図２参照）のオンタイミングを規定する選択信号を供給する。
【００５２】
データ線駆動回路６２は、ｎ本のデータ線６８（Ｘ１、Ｘ２、…、Ｘｎ）により各画素４０に接続されている。データ線駆動回路６２は、コントローラー６３の制御に従って、画素４０のそれぞれに対応する１ビットの画像データを規定する画像信号を画素４０に供給する。なお、本実施形態では、画素データ「０」を規定する場合には、ローレベルの画像信号を画素４０に供給し、画素データ「１」を規定する場合には、ハイレベルの画像信号を画素４０に供給するものとする。
【００５３】
表示部３には、また、共通電源変調回路６４から延びる低電位電源線４９（Ｖｓｓ）、高電位電源線５０（Ｖｄｄ）、共通電極配線５５（Ｖｃｏｍ）、第１のパルス信号線９１（Ｓ１）、第２のパルス信号線９２（Ｓ２）が設けられており、それぞれの配線は画素４０と接続されている。共通電源変調回路６４は、コントローラー６３の制御に従って上記配線のそれぞれに供給する各種信号を生成する一方、これら各配線の電気的な接続および切断（ハイインピーダンス化、Ｈｉ−Ｚ）を行う。
【００５４】
１．２．画素部分の回路構成
図２は、図１の画素４０の回路構成図である。なお、図１と同じ配線には同じ番号を付しており、説明は省略する。また、全画素に共通の共通電極配線５５については記載を省略している。
【００５５】
画素４０には、駆動用ＴＦＴ（Thin Film Transistor）４８と、ラッチ回路７０と、スイッチ回路８０が設けられている。画素４０は、ラッチ回路７０により画像信号を電位として保持するＳＲＡＭ（Static Random Access Memory）方式の構成をとる。
【００５６】
駆動用ＴＦＴ４８は、Ｎ−ＭＯＳトランジスタからなる画素スイッチング素子である。駆動用ＴＦＴ４８のゲート端子は走査線６６に接続され、ソース端子はデータ線６８に接続され、ドレイン端子はラッチ回路７０のデータ入力端子に接続されている。ラッチ回路７０は転送インバーター７０ｔと帰還インバーター７０ｆとを備えている。転送インバーター７０ｔ、帰還インバーター７０ｆには、低電位電源線４９（Ｖｓｓ）と高電位電源線５０（Ｖｄｄ）から電源電圧が供給される。
【００５７】
スイッチ回路８０は、トランスミッションゲートＴＧ１、ＴＧ２からなり、ラッチ回路７０に記憶された画素データのレベルに応じて、画素電極３５（図３（Ｂ）、図３（Ｃ）参照）に信号を出力する。なお、Ｖａは、１つの画素４０の画素電極へ供給される電位（信号）を意味する。
【００５８】
ラッチ回路７０に画素データ「１」（ハイレベルの画像信号）が記憶されて、トランスミッションゲートＴＧ１がオン状態となると、スイッチ回路８０はＶａとして信号Ｓ１を供給する。一方、ラッチ回路７０に画素データ「０」（ローレベルの画像信号）が記憶されて、トランスミッションゲートＴＧ２がオン状態となると、スイッチ回路８０はＶａとして信号Ｓ２を供給する。このような回路構成により、表示制御回路６０はそれぞれの画素４０の画素電極に対して供給する電位（信号）を制御することが可能である。
【００５９】
１．３．表示方式
本実施形態の電気泳動表示装置１０は、二粒子系マイクロカプセル型の電気泳動方式であるとする。分散液は無色透明、電気泳動粒子は白色または黒色のものであるとすると、白色または黒色の２色を基本色として少なくとも２色を表示できる。ここでは、電気泳動表示装置１０は、基本色として黒色と白色とを表示可能であるとして説明する。そして、黒色を表示している画素を白色で表示すること、または白色を表示している画素を黒色で表示することを反転と表現する。
【００６０】
図３（Ａ）は、本実施形態の電気泳動素子１３２の構成を示す図である。電気泳動素子１３２は素子基板１３０と対向基板１３１（図３（Ｂ）、図３（Ｃ）参照）との間に挟まれている。電気泳動素子１３２は、複数のマイクロカプセル１２０を配列して構成される。マイクロカプセル１２０は、例えば無色透明な分散液と、複数の白色の電気泳動粒子（白色粒子１２７）と、複数の黒色の電気泳動粒子（黒色粒子１２６）とを封入している。本実施形態では、例えば白色粒子１２７は負に帯電しており、黒色粒子１２６は正に帯電しているとする。
【００６１】
図３（Ｂ）は、電気泳動表示装置１０の表示部３の部分断面図である。素子基板１３０と対向基板１３１は、マイクロカプセル１２０を配列してなる電気泳動素子１３２を狭持している。表示部３（図１参照）は、素子基板１３０の電気泳動素子１３２側に、複数の画素電極３５が形成された駆動電極層３５０を含む。図３（Ｂ）では、画素電極３５として画素電極３５Ａと画素電極３５Ｂが示されている。画素電極３５により、画素ごとに電位を供給することが可能である（例えば、Ｖａ、Ｖｂ）。ここで、画素電極３５Ａを有する画素を画素４０Ａとし、画素電極３５Ｂを有する画素を画素４０Ｂとする。画素４０Ａ、画素４０Ｂは画素４０（図１、図２参照）に対応する２つの画素である。
【００６２】
一方、対向基板１３１は透明基板であり、表示部３において対向基板１３１側に画像表示がなされる。表示部３は、対向基板１３１の電気泳動素子１３２側に、平面形状の共通電極３７が形成された共通電極層３７０を含む。なお、共通電極３７は透明電極である。共通電極３７は、画素電極３５と異なり全画素に共通の電極であり、電位Ｖｃｏｍが供給される。
【００６３】
共通電極層３７０と駆動電極層３５０との間に設けられた電気泳動表示層３６０に電気泳動素子１３２が配置されており、電気泳動表示層３６０が表示領域となる。共通電極３７と画素電極（例えば、３５Ａ、３５Ｂ）との間の電位差に応じて、画素毎に所望の表示色を表示させることができる。
【００６４】
図３（Ｂ）では、共通電極側の電位Ｖｃｏｍが画素４０Ａの画素電極の電位Ｖａよりも高電位である。このとき、負に帯電した白色粒子１２７が共通電極３７側に引き寄せられ、正に帯電した黒色粒子１２６が画素電極３５Ａ側に引き寄せられるため、画素４０Ａは白色を表示していると視認される。
【００６５】
図３（Ｃ）では、共通電極側の電位Ｖｃｏｍが画素４０Ａの画素電極の電位Ｖａよりも低電位である。このときは逆に、正に帯電した黒色粒子１２６が共通電極３７側に引き寄せられ、負に帯電した白色粒子１２７が画素電極３５Ａ側に引き寄せられるため、画素４０Ａは黒色を表示していると視認される。なお、図３（Ｃ）の構成は図３（Ｂ）と同様であり説明は省略する。また、図３（Ｂ）、図３（Ｃ）ではＶａ、Ｖｂ、Ｖｃｏｍを固定された電位として説明したが、実際にはＶａ、Ｖｂ、Ｖｃｏｍは時間とともに電位が変化する。以下では、電位Ｖａ、Ｖｂ、Ｖｃｏｍを与える信号をパルス信号という。そして、特に共通電極へのパルス信号を駆動パルス信号という。
【００６６】
ここで、図３（Ｂ）の後に、図３（Ｃ）の状態に変化したとする。このとき、画素４０
Ａは白色の後に黒色が表示されており、印加電界の方向が正反対に変化している。画素４０Ａについては、印加電界が対称的でありＤＣバランスがとられている。一方、画素４０Ｂは白色だけが表示されており、印加電界が対称的でなく、ＤＣバランスがとられていない。電気泳動表示装置の長期信頼性を確保するためには、この例の画素４０Ａのように、反転表示を行う必要がある。
【００６７】
１．４．駆動方式
まず、制御部（図１の表示制御回路６０が対応）が表示部に画像を表示する制御を行うときのパルス信号の駆動方式について図４（Ａ）〜図７（Ｅ）を参照して説明する。
【００６８】
１．４．１．部分駆動方式
図４（Ａ）は部分駆動方式の波形図である。電気泳動表示装置では、応答速度を速めるために、表示部の全体を描画するのではなく、書き換え対象である一部を描画する場合がある。部分駆動方式によって、書き換え対象である一部の描画ができる。なお、図４（Ａ）のＶａ、Ｖｂ、Ｖｃｏｍは図３（Ｂ）〜図３（Ｃ）と同じであり、Ｖａ、Ｖｂ、Ｖｃｏｍはハイレベル（ＶＨ）、ローレベル（ＶＬ）、またはハイインピーダンス状態（Ｈｉ−Ｚ）をとり得る。
【００６９】
図４（Ａ）のＶｃｏｍは、共通電極への駆動パルス信号の例を示す。ここでのＶｃｏｍは、あるパルス幅Ｔ１（以下、単にＴ１とする）で第１の電位を共通電極に印加するパルスの後に、短いパルス幅Ｔ２（以下、単にＴ２とする）で第２の電位を共通電極に印加するパルス（逆電位駆動パルス）が続き、それが繰り返される。ただし、図４（Ａ）のように駆動停止の直前では例外的に第１の電位を共通電極に印加して終了する。パルス幅の短い逆電位駆動パルスにより、部分書き換えの際の駆動時間をより短縮することができる。ここで、白色表示をする場合には第１の電位はＶＨ（第２の電位はＶＬ）であり、黒色表示をする場合には第１の電位はＶＬ（第２の電位はＶＨ）である。また、例えば、Ｔ２はＴ１の１％〜１５％程の短い時間であってもよい。
【００７０】
この例では、画素４０Ａの画素電極に印加される電位Ｖａを与えるパルス信号は駆動パルス信号の反転信号である。また、画素４０Ｂの画素電極に印加される電位Ｖｂを与えるパルス信号は駆動パルス信号と同じ信号（正転信号）である。画素４０Ａと画素４０Ｂは例えば図３（Ｂ）で示された２つの画素である。画素４０Ａは、図４（Ａ）の「白色表示」と示された期間に黒色から白色へと書き換えられ、「黒色表示」と示された期間に白色から黒色へと書き換えられる。一方、画素４０Ｂは、共通電極と画素電極との間に電界を生じないため書き換えが行われずに黒色表示を続ける。
【００７１】
図４（Ｂ）は、図４（Ａ）の例による画素４０Ａ、画素４０Ｂの色（反射率）の変化を示す図である。まず、画素４０Ａについて説明する。画素４０Ａは最初に黒色で表示されているものとする。「白色表示」のＴ１に対応する区間では、画素電極の電位はＶＬで共通電極の電位はＶＨであるため白色表示に近づく。しかし、「白色表示」のＴ２に対応する区間では、画素電極の電位はＶＨで共通電極の電位はＶＬであるため黒色表示に近づく。しかし、Ｔ１＞Ｔ２であるため、画素４０Ａは「白色表示」の期間の最後には白色で表示される。そして、画素４０ＡはＶｃｏｍの極性が反転した「黒色表示」の期間の最後には黒色で表示される。
【００７２】
一方、画素４０Ｂは、常にＶｃｏｍと同じ信号が画素電極に供給されているので電位差が生じることはなく当初からの黒色表示を続ける。このように部分駆動方式では、変化させたい画素のみを駆動することができ、画像の書き換えにおける応答速度を速めることができる。特に、パルス幅の短い逆電位駆動パルスを使用することで部分書き換えの際の駆動時間を短縮することができる。
【００７３】
なお、書き換え対象である一部を描画する場合に適していることから、このようなパルス信号の駆動方式を部分駆動方式と呼ぶ。しかし、部分駆動方式は、書き換え対象を表示部の一部の画素に限るものではない。そのため、表示部の全画素を、部分駆動方式で描画することが可能である。
【００７４】
１．４．２．部分駆動方式での問題
図５（Ａ）〜図５（Ｄ）は、部分駆動方式で一部の領域を書き換えた場合における局所的なコントラスト比の低下を説明する図である。図５（Ａ）〜図５（Ｃ）では、表示部３に時刻表示（「１０：０５」または「１０：０６」）が行われており、部分駆動方式で分一桁を含む領域５１を書き換えている。
【００７５】
図５（Ａ）では時刻１０：０５が表示されている。そして、時刻が１０：０６に変化するときに、図５（Ｂ）のように領域５１の分一桁の「５」を反転表示（白色に表示）して消去する。次に、図５（Ｃ）のように、白色を背景とする黒色の「６」が正転表示される。このとき、図５（Ａ）と図５（Ｂ）とでＤＣバランスがとられ、しかも表示部３の一部である領域５１の範囲で更新されるので更新表示に要する時間は短くてすむ。図５（Ａ）〜図５（Ｃ）のように時刻表示を部分駆動方式によって更新することで、ＤＣバランスをとって長期信頼性を確保し、早い更新表示が可能な電気泳動表示装置を実現できる。
【００７６】
しかし、このような更新表示を長期間続けると、局所的なコントラスト比の低下を生じることがある。この様子を表したのが図５（Ｄ）である。図５（Ｄ）では、表示部３の全面を白色表示しているが、領域５１においてコントラスト比の低下が生じている。そのため、領域５１の白色が他の領域（例えば領域５２）と異なっている。
【００７７】
ここで、局所的なコントラスト比の低下は、表示部３の一部の領域５１に電界を印加することを長い間繰り返すことで生じる。つまり、領域５１についての電圧の印加に用いる信号を駆動する回数と、領域５１以外の領域（例えば領域５２）についての駆動回数とが、時間の経過とともに大きく異なってくることで生じる。図５（Ｄ）のような局所的なコントラスト比の低下は、表示部３の表示品質を低下させてしまう。
【００７８】
１．４．３．全面駆動方式
図６（Ａ）は全面駆動方式の波形図である。電気泳動表示装置では、表示部の全体を描画する全面駆動方式で画像を表示することもできる。このとき、表示部の一部の領域に電界を印加することを長い間繰り返すことがないので、部分駆動方式とは異なり、局所的なコントラスト比の低下を生じることはない。なお、図６（Ａ）のＶａ、Ｖｂ、ＶｃｏｍやＶＨ、ＶＬは、図３（Ａ）〜図４（Ｂ）と同じであり説明を省略する。
【００７９】
図６（Ａ）は、全面駆動方式によって、画素４０Ａを黒色から白色に、画素４０Ｂを白色から黒色に変化させる場合の波形図を示す。図６（Ａ）では表示色が変化する間、Ｖａはローレベル（ＶＬ）のままであり、Ｖｂはハイレベル（ＶＨ）のままである。そして、ＶｃｏｍはＶＬとＶＨとを等しい時間だけ繰り返している。つまり、図６（Ａ）のパルス幅Ｔ３（以下、単にＴ３とする）とパルス幅Ｔ４（以下、単にＴ４とする）とは等しい。
【００８０】
図６（Ｂ）は、図６（Ａ）の例による画素４０Ａ、画素４０Ｂの色（反射率）の変化を示す図である。画素４０Ａについては、最初に黒色で表示されている。図６（Ｂ）のＴ３に対応する区間では、画素電極の電位はＶＬで共通電極の電位はＶＨであるため白色表示に近づく。図６（Ｂ）のＴ４に対応する区間では、画素電極と共通電極に電位差が生じないので色は維持される。そして、最終的には画素４０Ａは黒色から白色に変化する。
【００８１】
一方、画素４０Ｂについては、最初に白色で表示されている。図６（Ｂ）のＴ３に対応する区間では、画素電極と共通電極に電位差が生じないので色は維持される。図６（Ｂ）のＴ４に対応する区間では、画素電極の電位はＶＨで共通電極の電位はＶＬであるため黒色表示に近づく。そして、最終的には画素４０Ｂは白色から黒色に変化する。
【００８２】
ここで、全面駆動方式では、表示部３の全画素の画素電極にＶＬまたはＶＨの電位が印加される。そして、表示部の一部の領域に対してのみ電界を印加することを長い間繰り返すことがないので、局所的なコントラスト比の低下を生じることはない。
【００８３】
なお、全面駆動方式では、表示部の全画素が描画の対象であり、表示部の一部の画素だけを書き換えることはできない。その名称の通り、表示部の全画素を描画することになる。
【００８４】
１．４．４．全面駆動方式での問題
図７（Ａ）〜図７（Ｅ）は全面駆動方式での残像の発生を説明する図である。まず、図７（Ａ）のように、表示部３を４つの領域（左上、右上、左下、右下）に分割し、左上の領域、右上の領域を特にそれぞれ領域Ｘ、領域Ｙとよぶことにする。ここで、図３（Ｂ）のように隣り合う画素４０Ａ、画素４０Ｂがあり、それぞれ領域Ｘ、領域Ｙに含まれるものとする。
【００８５】
図７（Ｂ）〜図７（Ｄ）は、全面駆動方式で画像を更新した様子を表す。まず、図７（Ｂ）では領域Ｘを含む表示部３の左半分が黒色で表示されており、領域Ｙを含む右半分が白色で表示されている。図７（Ｂ）は更新前の元画像であるとする。
【００８６】
ここで、表示画像の更新が行われ、更新後の画像は領域Ｘ、領域Ｙを含む上半分が黒色の画像であるとする。このとき、ＤＣバランスをとるために、まず図７（Ｃ）のように反転表示が行われる。つまり、図７（Ｃ）のように領域Ｘ、領域Ｙは白色で表示される。
【００８７】
その後、図７（Ｄ）のように領域Ｘ、領域Ｙを含む上半分が黒色の画像が表示されるが、領域Ｙの黒色と領域Ｘの黒色とは異なっている。図７（Ｄ）の例では、領域Ｙの黒色は領域Ｘの黒色よりも反射率が高い。このような反射率の違いにより、全面駆動方式によって画像を更新した場合に残像が発生することがある。
【００８８】
図７（Ｅ）は、領域Ｘに含まれる画素４０Ａと、領域Ｙに含まれる画素４０Ｂの反射率の変化を比較したものである。図７（Ｅ）の区間ＴBは図７（Ｂ）に、区間ＴCは図７（Ｃ）に、区間ＴDは図７（Ｄ）に対応する。まず、画素４０Ａは、最初（区間ＴB）は黒色であって、その後に白色、黒色と変化する（区間ＴC、ＴD）。この変化を（黒色、白色、黒色）のように表現する。すると、画素４０Ｂの変化は（白色、白色、黒色）と表すことができる。
【００８９】
ここで、全面駆動方式でパルス信号の駆動時間を十分長くした場合（ＴEX分だけＴDを延ばす場合）には画素４０Ａも画素４０Ｂも図７（Ｅ）の反射率ＲC（＝Ｒ1）に収束する。そのため、反射率に差が生じないので、残像が発生することもない。しかし、実際には表示画像の更新時間を短くするためにＴEX分の延長はない。すると、（黒色、白色、黒色）と変化する画素４０Ａは反射率ＲAに、（白色、白色、黒色）と変化する画素４０Ｂは反射率ＲBになるので、反射率に差が生じて残像が発生する。
【００９０】
よって、部分駆動方式ではなく、全面駆動方式を行った場合には、局所的なコントラスト比の低下は生じないが、別の問題として残像が発生するおそれがある。そのため、局所的なコントラスト比の低下や残像の問題を発生させない電気泳動表示装置の駆動方法が求
められている。
【００９１】
１．５．本実施形態の表示例
本実施形態における表示例について図８（Ａ）〜図１４を参照して説明する。まず、図８（Ａ）〜図１０を参照して、温度変化がない場合の原則的な電気泳動表示装置の駆動方法を示して、この駆動方法はコントラスト比の低下や全面駆動方式で画像更新時間を短縮すると生じる残像の問題を発生させないことを示す。次に図１１（Ａ）〜図１４を参照して、温度変化が生じた場合でもＤＣバランスをとることができ、適切な駆動パルス信号を選択して温度変化によって生じ得る残像を除去することを示す。
【００９２】
１．５．１．温度変化がない場合
図８（Ａ）〜図８（Ｈ）は温度変化がない場合の本実施形態の表示例を表す。図８（Ａ）〜図８（Ｈ）のそれぞれの左図は表示部３の表示画像を表し、右図は表示部３の表示を行うために駆動される画素を濃灰色（ダークグレー）で表した駆動画素１３を表す。駆動画素１３の下部には、全面駆動方式か部分駆動方式かの区別と、駆動画素１３の濃灰色（ダークグレー）で表された画素が黒色表示されるのか、白色表示されるのかの区別が示されている。
【００９３】
また、図８（Ａ）〜図８（Ｈ）の工程名は、後述するフローチャートの工程名に対応するものである。なお、工程のあとに付してある括弧で囲まれた数字は、同じ名称の工程を区別するために実行の順番を表している。
【００９４】
ここで、本実施形態の電気泳動表示装置の制御部は、表示部の画像を、すでに表示している元画像から次の新画像へと更新する制御を行う。つまり、元画像を消去し、新画像を表示するための制御を実行する。
【００９５】
元画像を消去する制御や新画像を表示する制御は所定の順番で実行される。画像の更新に関する制御を実行するそれぞれの段階を工程という。例えば、制御部が第１画像表示制御を実行する段階を第１画像表示工程と表現する。そして、以下において各工程で制御部が対応する制御を実行することを、単に「工程を実行する」と表現する。例えば第１画像表示工程において制御部が第１画像表示制御を実行することを、単に第１画像表示工程を実行する、と表現する。
【００９６】
図８（Ａ）は、第１画像表示工程（１）を実行したときの表示部３の表示画像と、そのための駆動画素１３を表す。第１画像表示工程（１）では、部分駆動方式によって、表示部３に時刻表示「１０：０５」（第１の画像に対応）を黒色（第１色に対応）で表示する。なお、第１画像表示工程（１）の実行前は、表示部３は全面が白色の状態であったとする。
【００９７】
図８（Ｂ）は、第１画像消去工程（１）を実行したときの表示部３の表示画像と、そのための駆動画素１３を表す。第１画像消去工程（１）では、部分駆動方式によって、表示部３に時刻表示「１０：０５」以外の部分（第１の画像の背景に対応）を黒色（第１色に対応）で表示する。このとき、表示部３は、全面が黒色の状態になる。
【００９８】
図８（Ｃ）は、第２画像表示工程（１）を実行したときの表示部３の表示画像と、そのための駆動画素１３を表す。第２画像表示工程（１）では、部分駆動方式で、表示部３に時刻表示「１０：０６」以外の部分（第２の画像の背景に対応）を白色（第２色に対応）で表示する。このとき、表示部３には、黒色で時刻表示「１０：０６」が表示されることになる。
【００９９】
図８（Ｄ）は、第２画像消去工程（１）を実行したときの表示部３の表示画像と、そのための駆動画素１３を表す。第２画像消去工程（１）では、部分駆動方式で、時刻表示「１０：０６」（第２の画像に対応）を白色（第２色に対応）で表示する。このとき、表示部３は、全面が白色の状態になる。
【０１００】
図８（Ｅ）は、第２画像消去工程（１）の後で、再び第１画像表示工程（２）を実行したときの表示部３の表示画像と、そのための駆動画素１３を表す。第１画像表示工程（２）では、部分駆動方式で、表示部３に時刻表示「１０：０７」（第１の画像に対応）を黒色（第１色に対応）で表示する。
【０１０１】
以下、図８（Ｆ）〜図８（Ｈ）は、それぞれ図８（Ｂ）〜図８（Ｄ）で、第１の画像が時刻表示「１０：０７」、第２の画像が時刻表示「１０：０８」である場合に対応するので、詳細な説明を省略する。なお、図８（Ａ）〜図８（Ｈ）の例では、１分おきに時刻表示が変化して、各工程もその変化に対応して実行される。例えば、時刻表示「１０：０５」が表示（図８（Ａ））されてから１分後に、表示部３は全面が黒色の状態になり（図８（Ｂ））、その後に時刻表示「１０：０６」が表示される（図８（Ｃ））。
【０１０２】
これらの工程（第１画像表示工程、第１画像消去工程、第２画像表示工程、第２画像消去工程）は、全て部分駆動方式であり、全面駆動方式で表示画像の更新処理の時間を短くするときに生じる残像は発生しない。
【０１０３】
ここで、図８（Ａ）の第１画像表示工程（１）と図８（Ｂ）の第１画像消去工程（１）の駆動画素１３を合わせると表示部全体の画素を黒色へと変化させている。一方、図８（Ｃ）の第２画像表示工程（１）と図８（Ｄ）の第２画像消去工程（１）の駆動画素１３を合わせると表示部全体の画素を白色へと変化させている。
【０１０４】
そして、これらの４つの工程が実行される間に温度変化がない。ここで、温度変化がないとは、所定の温度以上の温度変化がないことを意味する。所定の温度とは例えば３度のように固定的に定められてもよいし、本実施形態のように温度と駆動パルス信号とを対応させたテーブルに基づいて定めてもよい。
【０１０５】
図９は、温度と駆動パルス信号との対応を表すテーブルを例示する図である。本実施形態では、図９のテーブルで２段階の差が生じる場合に所定の温度以上の温度変化があるとする。例えば、温度が１１℃から１５℃に変化しても、図９のテーブルにおいて１段階の差しか生じないため温度変化はないと扱われる。ここでは、図９のテーブルで２段階の差が生じていないとする。
【０１０６】
このとき、例えば表示部３の温度をＴＰ１とすると、図１０のように、４つの工程の全てで温度ＴＰ１（以下、単にＴＰ１とする）に調整された駆動パルス信号が用いられる。そのため、図８（Ａ）〜図８（Ｄ）の４つの工程でＤＣバランスがとられている。なお、図８（Ｅ）〜図８（Ｈ）の２回目の工程についても同じであり、４つの工程でＤＣバランスがとられることになる。なお、温度ＴＰ１に調整された駆動パルス信号とは、ＴＰ１が例えば１１℃であるとして再び図９を参照すると、Ｔ１が９０［ｍｓ］、Ｔ２が１０［ｍｓ］、振幅が１５Ｖのパルスを６回繰り返す信号である。ここで、Ｔ１、Ｔ２は図４（Ａ）〜図４（Ｂ）を用いて説明したパルス幅Ｔ１、Ｔ２である。図９の例では振幅、Ｔ２は一定であるが振幅、Ｔ２が調整されてもよい。
【０１０７】
ここで、図１０について説明する。図１０は、図８（Ａ）〜図８（Ｅ）の工程に対応する駆動パルス信号等を表す波形図である。なお、図４（Ａ）〜図４（Ｂ）、図６（Ａ）〜図６（Ｂ）と同じ要素には同じ符号を付しており説明を省略する。図１０では、共通電極
への駆動パルス信号（Ｖｃｏｍ）、異なる２つの画素電極へのパルス信号（Ｖａ、Ｖｂ）、図８（Ａ）〜図８（Ｅ）のどの工程に対応するかを示す対応工程が示されている。図１０に示された工程は全て部分駆動方式を用いており、異なる２つの画素電極へのパルス信号（Ｖａ、Ｖｂ）は、駆動パルス信号（Ｖｃｏｍ）の正転または反転である。
【０１０８】
なお、図１０の対応工程のあとに付してある括弧で囲まれた記号は、その対応工程における駆動パルス信号の波形を定めるのに用いた温度を示している。ここでは、温度変化がなく、全ての工程で温度ＴＰ１に基づいて調整された駆動パルス信号を用いている。また、図１０では、２回目の第１画像消去工程以降については記載を省略している。
【０１０９】
以上の説明をまとめると、温度変化がない場合に、本実施形態の電気泳動表示装置の駆動方法は、部分駆動方式で生じ得る局所的なコントラスト比の低下の問題を生じない。つまり、表示部全体の画素を黒色（第１画像表示工程と第１画像消去工程）、または白色（第２画像表示工程と第２画像消去工程）へと変化させているので、表示部全体に均一に電界を印加しているからである。
【０１１０】
局所的なコントラスト比の低下は、表示部の一部の領域（以下、特定領域）に電界を印加することを長い間繰り返すことで生じる。つまり、特定領域についての電圧の印加に用いる信号を駆動する回数と、特定領域以外の領域についての駆動回数とが、時間の経過とともに大きく異なってくることで生じる。本発明の電気泳動表示装置の駆動方法では、このような特定領域が生じることはないため、局所的なコントラスト比の低下は発生しない。
【０１１１】
よって、温度変化が無いとした場合に、本実施形態の電気泳動表示装置の駆動方法は、ＤＣバランスをとりつつ、局所的なコントラスト比の低下や残像を生じさせないため、長期信頼性を確保でき、表示品質を向上させる。
【０１１２】
１．５．２．第２画像表示工程〜第２画像消去工程での温度変化
図１１（Ａ）〜図１１（Ｈ）は第２画像表示工程の以後かつ第２画像消去工程の以前に温度変化がある場合の本実施形態の表示例を表す。なお、図１〜図１０と同じ要素には同じ符号を付しており説明を省略する。また、温度と駆動パルス信号との対応を表すテーブルは図９の通りである。
【０１１３】
温度変化がある場合、変化前の温度に基づいて調整された駆動パルス信号を用いて画像の表示や消去を行うと、帯電粒子は分散液中を移動させるためのエネルギー（ここでは、印加電界×印加時間を合算したものをエネルギーという）が大きすぎる、または小さすぎるため所望の黒色表示、または白色表示とならずに残像が生じることがある。
【０１１４】
例えば、図１１（Ｃ）の第２画像表示工程を実行した後、約１分間の時刻表示（この例では１０：０６）の間に温度がＴＰ１からＴＰ２へと変化したとする。このとき、ＴＰ１に調整された駆動パルス信号を用いて第２画像消去工程を実行すると、図１１（Ｄ）のように残像が生じる。
【０１１５】
再び図９を参照して説明すると、例えば温度が１１℃（ＴＰ１に対応）から１８℃（ＴＰ２に対応）に変化した場合には、テーブルにおいて２段階の差が生じ、パルスの繰り返し回数が６回から４回へと大きく変化する。そのため、図１１（Ｄ）のように残像が生じている。この残像を消去するために、本実施形態ではテーブルにおいて２段階の差を生じさせる所定の温度変化を検出した場合には、変化後の温度（ＴＰ２）に調整した駆動パルス信号を用いて第１残像消去工程、第２残像消去工程を実行する。
【０１１６】
図１１（Ｅ）、図１１（Ｆ）は、それぞれ第１残像消去工程、第２残像消去工程を実行した場合の表示例を表す。この例では、第１残像消去工程はＴＰ２に調整した駆動パルス信号を用いる部分駆動方式であって、本発明の所定の画像として黒色（第１色に対応）の単一色表示を実行する。第２残像消去工程は、ＴＰ２に調整した駆動パルス信号を用いる部分駆動方式であって、黒色の単一色表示を相補的に表示する。具体的には白色（第２色に対応）の単一色表示を実行する。すなわち、本実施形態の第２残像消去工程の相補的な表示は反転表示に相当する。
【０１１７】
このとき、第１残像消去工程、第２残像消去工程では、変化後の温度であるＴＰ２に調整した駆動パルス信号を用いるので、残像を消去することができる。また、所定の画像として黒色（第１色に対応）の単一色表示を用いることで、第２残像消去工程の相補的な表示が所定の画像の反転表示となり、これら２つの工程でＤＣバランスがとられる。
【０１１８】
図１２は、図１１（Ａ）〜図１１（Ｆ）の工程に対応する駆動パルス信号等を表している。最初の４つの工程（第１画像表示工程、第１画像消去工程、第２画像表示工程、第２画像消去工程）ではＴＰ１に調整された駆動パルス信号が用いられている。しかし、追加で実行される第１残像消去工程、第２残像消去工程では、ＴＰ２に調整された駆動パルス信号が用いられている。そして、図１０の場合と同じく最初の４つの工程ではＤＣバランスがとられており、前記のように互いに反転する単一色表示を行う第１残像消去工程、第２残像消去工程でもＤＣバランスがとられている。そのため、図１１（Ａ）〜図１１（Ｆ）の６つの工程でＤＣバランスがとられている。
【０１１９】
以上のように、本実施形態の電気泳動表示装置の駆動方法は、第２画像表示工程の以後かつ第２画像消去工程の以前に温度変化がある場合でも、ＤＣバランスをとりつつ、温度変化の影響（具体的には図１１（Ｄ）のような残像）も補償できる。そのため、長期信頼性を確保でき、表示品質が向上する。また、部分駆動方式も用いているので、全面駆動方式だけの場合に比べて画像の更新時間を短くできる。なお、図１１（Ａ）〜図１１（Ｂ）は図８（Ａ）〜図８（Ｂ）と同じであり、図１１（Ｇ）〜図１１（Ｈ）は図８（Ｅ）〜図８（Ｆ）と同じであるため説明を省略した。
【０１２０】
１．５．３．第１画像表示工程〜第１画像消去工程での温度変化
図１３（Ａ）〜図１３（Ｇ）は第１画像表示工程の以後かつ第１画像消去工程の以前に温度変化がある場合の本実施形態の表示例を表す。なお、図１〜図１２と同じ要素には同じ符号を付しており説明を省略する。また、温度と駆動パルス信号との対応を表すテーブルは図９の通りである。
【０１２１】
例えば、図１３（Ａ）の第１画像表示工程を実行した後に、約１分間の時刻表示（この例では１０：０５）の間に温度がＴＰ３からＴＰ４へと変化したとする。このとき、ＴＰ３に調整された駆動パルス信号を用いて第１画像消去工程を実行すると、図１３（Ｂ）のように残像が生じる。なお、ＴＰ３、ＴＰ４は前記のＴＰ１、ＴＰ２とは無関係の温度であるが、以下ではＴＰ１、ＴＰ２と同じ温度の例を用いて説明する。
【０１２２】
再び図９を参照して説明すると、例えば温度が１１℃（ＴＰ３に対応）から１８℃（ＴＰ４に対応）に変化した場合には、テーブルにおいて２段階の差が生じ、図１３（Ｂ）のように残像が生じている。この残像を消去するために、本実施形態ではテーブルにおいて２段階の差を生じさせる所定の温度変化を検出した場合には、変化後の温度（ＴＰ４）に調整した駆動パルス信号を用いて図１３（Ｄ）の第１残像消去工程、図１３（Ｅ）の第２残像消去工程を実行する。
【０１２３】
このとき、第１残像消去工程、第２残像消去工程では、変化後の温度であるＴＰ４に調
整した駆動パルス信号を用いるので、残像を消去することができる。また、所定の画像として黒色（第１色に対応）の単一色表示を用いることで、第２残像消去工程の相補的な表示が所定の画像の反転表示となり、これら２つの工程でＤＣバランスがとられる。
【０１２４】
しかし、第２画像表示工程の以後かつ第２画像消去工程の以前に温度変化がある場合とは異なり、変化前の温度であるＴＰ３に調整した駆動パルス信号を用いる工程は、図１３（Ａ）の第１画像表示工程、図１３（Ｂ）の第１画像消去工程だけである。そのため、第１残像消去工程、第２残像消去工程の追加だけでは、ＤＣバランスをとることができない。そこで、ＴＰ３に調整した駆動パルス信号を用いた部分駆動方式で、表示部３の全画素を白色（第２色）で表示させる図１３（Ｃ）の第１単一色表示工程を実行する。このことにより、第１画像表示工程、第１画像消去工程、および第１単一色表示工程によってＤＣバランスをとることができる。
【０１２５】
図１４は、図１３（Ａ）〜図１３（Ｅ）の工程に対応する駆動パルス信号等を表している。最初の３つの工程（第１画像表示工程、第１画像消去工程、第１単一色表示工程）ではＴＰ３に調整された駆動パルス信号が用いられている。そして、第１残像消去工程、第２残像消去工程では、ＴＰ４に調整された駆動パルス信号が用いられている。最初の３つの工程でＤＣバランスがとられ、前記のように互いに反転する単一色表示を行う第１残像消去工程、第２残像消去工程でもＤＣバランスがとられている。そのため、図１３（Ａ）〜図１３（Ｅ）の５つの工程でＤＣバランスがとられている。
【０１２６】
なお、図１３（Ｅ）の第２画像消去工程の実行後には、表示部３の全画素が白色表示となる。そして、続いて２回目の第１画像表示工程が実行される。すなわち、第１画像表示工程の以後かつ第１画像消去工程の以前に温度変化がある場合には、第２画像表示工程、第２画像消去工程が実行されることなく、次の第１画像表示工程が実行される。
【０１２７】
以上のように、本実施形態の電気泳動表示装置の駆動方法は、第１画像表示工程の以後かつ第１画像消去工程の以前に温度変化がある場合でも、ＤＣバランスをとりつつ、温度変化の影響（具体的には図１３（Ｂ）のような残像）も補償できる。そのため、長期信頼性を確保でき、表示品質が向上する。また、部分駆動方式も用いているので、全面駆動方式だけの場合に比べて画像の更新時間を短くできる。なお、図１３（Ｆ）〜図１３（Ｇ）は、それぞれ図１３（Ａ）〜図１３（Ｂ）で、第１の画像が時刻表示「１０：０６」である場合に対応するので説明を省略した。
【０１２８】
１．６．フローチャート
本実施形態の表示例について温度変化の有無で場合分けを行って示したが、本実施形態の電気泳動表示装置の制御部が行う制御処理をまとめると図１５のフローチャートのようになる。ここで、電気泳動表示装置の制御部は、第２画像表示工程、第２画像消去工程を実行する必要がある場合に１がセットされるレジスターを有する。図１５のフローチャートの説明において、このレジスターを単にレジスターと呼ぶものとする。
【０１２９】
まず、レジスターに０がセットされて、レジスターが初期化される（Ｓ１）。そして、第１の画像（例えば、図８（Ａ）の例では時刻表示「１０：０５」）を第１色（例えば黒色）で表示させる第１画像表示工程（Ｓ２）が実行される。その後、第１の画像の背景を第１色で表示することで表示部全体を第１色にする第１画像消去工程（Ｓ４）が実行される。
【０１３０】
ここで、第１画像表示工程の以後かつ第１画像消去工程の以前に、温度検出部が所定の温度変化（例えば、図９のテーブルで２段階の差を生じさせる程度の温度変化）を検出しない場合には（Ｓ６：Ｎｏ）、レジスターに１がセットされる（Ｓ８）。
【０１３１】
一方、第１画像表示工程の以後かつ第１画像消去工程の以前に、温度検出部が所定の温度変化を検出した場合には（Ｓ６：Ｙｅｓ）、第１単一色表示工程が実行されて（Ｓ１０）、表示部３の全画素が第２色（白色）で表示される。第１単一色表示工程では、変化前の温度に基づいて調整された駆動パルス信号が用いられる。
【０１３２】
その後、変化後の温度に基づいて調整された駆動パルス信号を用いて、第１残像消去工程（Ｓ１２）と、第２残像消去工程（Ｓ１４）が実行されることで、温度変化による残像が消去される。このとき、例えば第１残像消去工程では表示部全体を黒色表示し、第２残像消去工程では表示部全体を白色表示してもよい（図１３（Ｄ）〜図１３（Ｅ）参照）。その後、レジスターに０がセットされる（Ｓ１８）。
【０１３３】
なお、本実施形態では、第１残像消去工程（Ｓ１２）、第２残像消去工程（Ｓ１４）でも部分駆動方式が用いられる。しかし、第１残像消去工程と第２残像消去工程については全面駆動方式を用いてもよい。この場合、任意の画像について、第１残像消去工程と第２残像消去工程で正転表示と反転表示が実行されることになる。そのため、工程数を増やすことなく、単一色表示以外の画像を用いることが可能になる。
【０１３４】
前記のステップＳ８、Ｓ１８の後、レジスターの値が０であるかが判断される（Ｓ２０）。もし、レジスターの値が０であれば、第２画像表示工程、第２画像消去工程を実行する必要はないため、第１画像表示工程（Ｓ２）に戻る（Ｓ２０：Ｙｅｓ）。一方、レジスターの値が１であれば（Ｓ２０：Ｎｏ）、第１画像表示工程の以後かつ第１画像消去工程の以前に温度変化はなかったので、第２画像表示工程（Ｓ２２）および第２画像消去工程（Ｓ２４）が実行される。
【０１３５】
第２画像表示工程は、第２の画像（例えば、図８（Ｃ）の例では時刻表示「１０：０６」）の背景を第２色（例えば白色）で表示させる。また、第２画像消去工程は、第２の画像を第２色で表示することで表示部全体を第２色にする。
【０１３６】
ここで、第２画像表示工程の以後かつ第２画像消去工程の以前に、温度検出部が所定の温度変化を検出しない場合には（Ｓ２６：Ｎｏ）、レジスターに０がセットされて（Ｓ１８）、前記のレジスターの値の判断（Ｓ２０）が実行される。
【０１３７】
一方、第２画像表示工程の以後かつ第２画像消去工程の以前に、温度検出部が所定の温度変化を検出した場合には（Ｓ２６：Ｙｅｓ）、変化後の温度に基づいて調整された駆動パルス信号を用いて、第１残像消去工程（Ｓ１２）と、第２残像消去工程（Ｓ１４）が実行されることで、温度変化による残像が消去される。第２残像消去工程（Ｓ１４）が実行された後には、レジスターに０がセットされて（Ｓ１８）、前記のレジスターの値の判断（Ｓ２０）が実行される。
【０１３８】
このように、本実施形態の電気泳動表示装置の駆動方法では、温度変化の有無にかかわらずＤＣバランスがとられ、温度変化が生じた場合には、変化後の温度に基づいて調整された駆動パルス信号を用いる第１残像消去工程と第２残像消去工程が実行されることで、温度変化による残像が消去される。そのため、長期信頼性を確保でき、表示品質が向上する。また、部分駆動方式も用いているので、全面駆動方式だけの場合に比べて画像の更新時間を短くできる。
【０１３９】
２．第２実施形態
本発明の第２実施形態について図１６（Ａ）〜図２０を参照して説明する。なお、図１〜図１５と同じ要素については同じ符号を付しており説明を省略する。第２実施形態では
、第１実施形態と異なり第２残像消去工程の後に第２単一色表示工程が実行される。そのため、第１残像消去工程と第２残像消去工程とでＤＣバランスがとられない場合でも、具体的には、これらの工程が部分駆動方式で単一色表示以外の画像を表示するものであっても、全体としてＤＣバランスがとられて温度変化の影響も補償できる。
【０１４０】
第２実施形態の電気泳動表示装置の構成も第１実施形態と同じであり説明を省略する。そして、画素部分の回路構成、表示方式等についても第１実施形態と同じである。本実施形態の電気泳動表示装置の駆動方法では、第１残像消去工程と第２残像消去工程は部分駆動方式を用いており、所定の画像として単一色表示以外の画像を使用する。例えば、第１色と第２色からなる数ドットの市松模様では、駆動の際に数ドット毎に電界の方向が異なる。市松模様の画像を用いて正転表示、反転表示を実行すると、単一色表示を用いる場合と比べて残像を消去する効果を高めることができる可能性がある。本実施形態では、残像消去の効果を高めるために単一色表示以外の画像を使用する。
【０１４１】
図１６（Ａ）〜図１７（Ｂ）は、第１残像消去工程と第２残像消去工程で用いる所定の画像の例である。例えば、第１残像消去工程では図１６（Ａ）のような正転の市松模様を用いて、第２残像消去工程では図１６（Ｂ）のような反転の市松模様を用いてもよい。別の例としては、第１残像消去工程では図１７（Ａ）のような正転の千鳥格子を用いて、第２残像消去工程では図１７（Ｂ）のような反転の千鳥格子を用いてもよい。
【０１４２】
ここで、例えば第１残像消去工程で図１６（Ａ）の市松模様の黒い部分を黒色表示し、第２残像消去工程で図１６（Ｂ）の市松模様の黒い部分を相補的に黒色表示するものとする。この場合、これらの工程の実行後に表示部３の全面が黒色表示となるだけでありＤＣバランスがとれない。そこで、本実施形態の電気泳動表示装置の駆動方法では、第２残像消去工程の後に第２単一色表示工程を実行する。第２単一色表示工程は、変化後の温度に基づいて調整された駆動パルス信号を用いて、表示部の全画素を第２色（すなわち白色）で表示させるものである。
【０１４３】
２．１．本実施形態の表示例
本実施形態における表示例について図１８（Ａ）〜図１９を参照して説明する。ここで、重複説明をさけるために、第１画像表示工程の以後かつ第１画像消去工程の以前に温度変化があった場合についてのみ説明するが、第２画像表示工程の以後かつ第２画像消去工程の以前に温度変化があった場合についても同じように第２単一色表示工程が実行される。
【０１４４】
第１画像表示工程の以後かつ第１画像消去工程の以前に所定の温度変化が検出された場合には、変化後の温度（ＴＰ４）に調整した駆動パルス信号を用いて図１８（Ｄ）の第１残像消去工程、図１８（Ｅ）の第２残像消去工程、図１８（Ｆ）の第２単一色表示工程を実行する。
【０１４５】
このとき、第１残像消去工程および第２残像消去工程の実行後、図１８（Ｅ）のように黒色表示となっており、ＤＣバランスがとられていない。そこで、図１８（Ｆ）の第２単一色表示工程を実行して、これら３つの工程でＤＣバランスがとられるようにする。なお、その他の工程は、第１実施形態の例えば図１３（Ａ）〜図１３（Ｇ）の同名の工程と同じであり説明を省略する。
【０１４６】
図１９は、図１８（Ａ）〜図１８（Ｆ）の工程に対応する駆動パルス信号等を表している。最初の３つの工程（第１画像表示工程、第１画像消去工程、第１単一色表示工程）ではＴＰ３に調整された駆動パルス信号が用いられている。しかし、第１残像消去工程、第２残像消去工程、第２単一色表示工程では、ＴＰ４に調整された駆動パルス信号が用いら
れている。そして、最初の３つの工程、残りの３つの工程のそれぞれでＤＣバランスがとられている。そのため、図１８（Ａ）〜図１８（Ｆ）の６つの工程でＤＣバランスがとられることになる。
【０１４７】
以上のように、本実施形態の電気泳動表示装置の駆動方法でも、ＤＣバランスをとりつつ、温度変化の影響（具体的には図１８（Ｂ）のような残像）も補償できる。そのため、長期信頼性を確保でき、表示品質が向上する。このとき、第１残像消去工程、第２残像消去工程で、単一色以外の任意の画像を用いることが可能であるので、残像消去の効果を高めることができる。
【０１４８】
２．２．フローチャート
本実施形態の電気泳動表示装置の制御部が行う制御処理をまとめると図２０のフローチャートのようになる。ここで、第１実施形態との差は、第２残像消去工程（Ｓ１４）の後に第２単一色表示工程（Ｓ１６）が実行されることだけである。すなわち、ただ１つの工程を追加するだけで、第１残像消去工程（Ｓ１２）、第２残像消去工程（Ｓ１４）で、単一色以外の任意の画像を用いることが可能となり、残像消去の効果を高めることができる。
【０１４９】
なお、その他のステップについては、第１実施形態の図１５の同じ符号を付したステップと同じであり説明を省略する。
【０１５０】
このように、本実施形態の電気泳動表示装置の駆動方法では、温度変化の有無にかかわらずＤＣバランスがとられ、温度変化が生じた場合には、変化後の温度に基づいて調整された駆動パルス信号を用いる第１残像消去工程と第２残像消去工程が実行されることで、温度変化による残像が消去される。このとき、残像消去の効果が高いことが期待できる。そのため、長期信頼性を確保でき、さらに表示品質が向上する。また、部分駆動方式も用いているので、全面駆動方式だけの場合に比べて画像の更新時間を短くできる。
【０１５１】
３．適用例
本発明の適用例について図２１〜図２２（Ｂ）を参照して説明する。なお、図１〜図２０と同じ要素については同一符号を付して説明を省略する。第１〜第２実施形態の電気泳動表示装置は、例えば時刻表示を行う電子時計などの電子機器に適用できる。
【０１５２】
３．１．電子機器のブロック図
図２１は適用例に係る電子機器１のブロック図である。電子機器１は、ＣＰＵ２、入力部４、記憶部５、電気泳動表示装置１０を含む。電気泳動表示装置１０は、第１〜第２実施形態の電気泳動表示装置であって、様々な画像を表示する表示部３を含む。
【０１５３】
ＣＰＵ２は、他のブロックを制御し様々な演算や処理を行う。ＣＰＵ２は、例えば記憶部５からプログラムを読み込み、プログラムに従って電気泳動表示装置１０に時刻信号などを入力してもよい。
【０１５４】
入力部４は、例えば電子機器１の使用者からの指示を受け取り、指示に応じた信号を他のブロックに出力してもよい。
【０１５５】
記憶部５は、例えばＤＲＡＭやＳＲＡＭなどのメモリーであってもよいし、ＲＯＭを含んでいてもよい。ＣＰＵ２が使用するプログラムは、例えば記憶部５が含むＲＯＭに書かれていてもよい。
【０１５６】
表示部３は、電気泳動表示装置１０の一部であって、例えば時刻を表示したり、文字、
写真などを表示したりしてもよい。
【０１５７】
電子機器１は、第１〜第２実施形態の電気泳動表示装置１０を含むことで、ＤＣバランスをとりつつ、温度変化が発生した場合に生じ得る残像を消去することができる。そのため、長期的信頼性に優れ、表示品質のよい電子機器１を実現できる。
【０１５８】
３．２．電子機器の具体例
図２２（Ａ）〜図２２（Ｂ）に、電子機器の具体例を示す。図２２（Ａ）は電子機器の１つである電子時計１０００の正面図である。電子時計１０００は、例えば腕時計であり、時計ケース１００２と、時計ケース１００２に連結された一対のバンド１００３とを備える。時計ケース１００２の正面には、電気泳動表示装置１０の表示部３（図２１参照）である表示部１００４が設けられ、時刻表示１００５を行っている。時計ケース１００２の側面には、２つの操作ボタン１０１１と１０１２とが設けられ、入力部４（図２１参照）として機能する。
【０１５９】
また、図２２（Ｂ）は電子機器の１つである電子ペーパー１１００の斜視図である。電子ペーパー１１００は可撓性を有し、電気泳動表示装置１０の表示部３（図２１参照）である表示領域１１０１と、本体１１０２とを備えている。
【０１６０】
第１〜第２実施形態の電気泳動表示装置は、これらの具体例を含む、様々な電子機器に適用できる。そして、そのような電子機器は、ＤＣバランスが取れていることで表示部の長期信頼性を確保でき、温度変化が発生した場合に生じ得る残像を消去するので表示品質を向上させることができる。
【０１６１】
４．その他
前記の実施形態においては、電気泳動表示装置は、黒粒子および白粒子による白黒二粒子系の電気泳動が行われるものに限られず、青白等の一粒子系の電気泳動を行っても良く、また、白黒以外の組み合わせでも構わない。
【０１６２】
そして、電気泳動表示装置に限らず、メモリー性の表示手段に前記の駆動方法が適用されてもよい。例えば、ＥＣＤ（Electrochromic Display＝エレクトロクロミックディスプレイ）、強誘電性液晶ディスプレイ、コレステリック液晶ディスプレイ等である。
【０１６３】
さらに、前記の適用例の電子時計は、腕時計に限らず、置き時計、掛け時計、懐中時計などの時計機能を有する機器に広く適用できる。
【０１６４】
これらの例示に限らず、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【０１６５】
１  電子機器、２  ＣＰＵ、３  表示部、４  入力部、５  記憶部、１０  電気泳動表示装置、１３  駆動画素、３５  画素電極、３５Ａ  画素電極、３５Ｂ  画素電極、３７  共通電極、４０  画素、４０Ａ  画素、４０Ｂ  画素、４８  駆動用ＴＦＴ、４９  低電位電源線（Ｖｓｓ）、５０  高電位電源線（Ｖｄｄ）、５１  領域、５２  領域、５５  共通電極配線（Ｖｃｏｍ）、６０  表示制御回路、６１  走査線駆動回路、６２  データ線駆動回路、６３  コントローラー、６４  共通電源変調回路、６５  温度センサー、６
６  走査線、６８  データ線、７０  ラッチ回路、７０ｆ  帰還インバーター、７０ｔ  転送インバーター、８０  スイッチ回路、９１  第１のパルス信号線（Ｓ１）、９２  第２のパルス信号線（Ｓ２）、１２０  マイクロカプセル、１２６  黒色粒子、１２７  白色粒子、１３０  素子基板、１３１  対向基板、１３２  電気泳動素子、１６０  記憶部、３５０  駆動電極層、３６０  電気泳動表示層、３７０  共通電極層、１０００  電子時計、１００２  時計ケース、１００３  バンド、１００４  表示部、１００５  時刻表示、１０１１  操作ボタン、１１００  電子ペーパー、１１０１  表示領域、１１０２  本体
【図１】
2014056039.tif 000003
【図２】
2014056039.tif 000004
【図３】
2014056039.tif 000005
【図４】
2014056039.tif 000006
【図５】
2014056039.tif 000007
【図６】
2014056039.tif 000008
【図９】
2014056039.tif 000009
【図１０】
2014056039.tif 000010
【図１２】
2014056039.tif 000011
【図１４】
2014056039.tif 000012
【図１５】
2014056039.tif 000013
【図１６】
2014056039.tif 000014
【図１７】
2014056039.tif 000015
【図１９】
2014056039.tif 000016
【図２０】
2014056039.tif 000017
【図２１】
2014056039.tif 000018
【図２２】
2014056039.tif 000019
【図７】
2014056039.tif 000020
【図８】
2014056039.tif 000021
【図１１】
2014056039.tif 000022
【図１３】
2014056039.tif 000023
【図１８】
2014056039.tif 000024